(57)【要約】【課題】壊れやすい錠剤などの薬剤パッケージその他の物品を外部の衝撃から保護する。【解決手段】この包装用箱Ｂは、箱１の内部に箱１の開口の内側で開口される略筒形に形成されるホルダー２１と、ホルダー２１の開口縁部で箱１の各フラップの回動支点の内側となる位置に開口上に延びるフラップ状に形成され、開口を各フラップ及び蓋により閉じたときの各フラップの押え込みにより、各フラップの内側で略ハの字形に配置可能な一対の押えフラップ２２、２３とを備え、箱１の内部で、ホルダー２１により包囲保持した薬剤パッケージの上下の各封止端を上下の各押えフラップ２２、２３により押え保持する。【選択図】図１
2014118198.tif 000002
【特許請求の範囲】
【請求項１】
一対のフラップ及び蓋により開閉される開口を有する形式の箱として構成され、前記箱の内部に物品を保持する緩衝用の保持部を一体的に備えて、壊れやすい錠剤などの薬剤パッケージその他の物品を外部の衝撃から保護する緩衝機能付き包装用箱において、
前記緩衝用の保持部は、前記箱の内部で前記各フラップの回動支点の内側付近に前記箱の開口上に延びるフラップが設けられていて、前記箱の開口を前記各フラップ及び前記蓋により閉じたときの前記各フラップの押え込みにより、前記各フラップの内側で略ハの字形に配置可能な一対の押えフラップからなり、
前記箱の内部で物品を前記各フラップ側から前記各押えフラップにより押え保持する、
ことを特徴とする緩衝機能付き包装用箱。
【請求項２】
緩衝用の保持部は、箱の内部に箱の開口の内側で開口される略筒形に形成され、物品の周囲を保持可能なホルダーを併せて備え、一対の押えフラップが各フラップの回動支点の内側付近になる前記ホルダーの開口縁部に一体に形成され、前記箱の内部で、前記ホルダーにより包囲保持した物品を前記各フラップ側から前記各押えフラップにより押え保持する請求項１に記載の緩衝機能付き包装用箱。
【請求項３】
箱は断面略矩形の箱形に形成され、ホルダーは前記箱内に配置可能に断面略矩形の筒形に形成されて、前記ホルダーの一方の略平行な各側面が前記箱内の一方の略平行な各側面に対して接着され、他方の略平行な各側面が前記箱内の他方の略平行な各側面に対して緩衝空間を介して対向される請求項２に記載の緩衝機能付き包装用箱。
【請求項４】
一対の押えフラップは箱の開口を拡開する方向に折り曲げ可能に折れ線が付設される請求項１乃至３のいずれかに記載の緩衝機能付き包装用箱。
【請求項５】
箱は緩衝用の保持部とともに、一枚のブランクシートから一体的に打ち抜かれて形成される一枚の紙基材からなる請求項１乃至４のいずれかに記載の包装用箱。
【発明の詳細な説明】
【技術分野】
【０００１】
本発明は、緩衝機能付き包装用箱に関し、特に、壊れやすい錠剤などの薬剤パッケージその他の物品を外部の衝撃から保護し、物品の損傷、破損を防止するのに適した緩衝機能付き包装用箱に関する。
【背景技術】
【０００２】
一般に、錠剤やカプセルなどの薬剤は複数個ずつ１枚のプレススルーパックシート（以下、ＰＴＰシートという。）に収納され、このＰＴＰシートが所定の枚数ずつアルミ包材パックに封入されて、紙箱に包装される。
【０００３】
このような薬剤パッケージを包装する紙箱としては、緩衝機能付き包装用箱が周知であり、この種の包装用箱が例えば特許文献１などに開示されている。
この文献１に記載されているように、この種の包装用箱は、上面に一対のフラップ及び蓋により開閉される開口を有する形式の箱形に構成され、また、箱の内部に物品を保持する緩衝用の保持部を一体的に備えて、箱と保持部との間に緩衝空間が設けられる。薬剤パッケージをこのような箱を用いて包装する場合、箱の上面の蓋、各フラップをそれぞれ引き起こして上面の開口を開いた状態から、薬剤パッケージを一端の封止部から箱上面の開口を通して箱内部の保持部に収容し、薬剤パッケージの収容後、箱の各フラップ、蓋を順次折り畳んで箱上面の開口を閉塞する。このようにして壊れやすい錠剤などの薬剤パッケージを外部の衝撃から保護し、薬剤の損傷、破損を防止するようになっている。
【先行技術文献】
【特許文献】
【０００４】
【特許文献１】特開２００７−３９０６８公報
【発明の概要】
【発明が解決しようとする課題】
【０００５】
しかしながら、この種の包装用箱では、箱内部の緩衝用の保持部が薬剤パッケージの周囲を保持可能に略筒形形状に形成されて、箱と保持部との間に緩衝空間が設けられるため、箱の周囲からの衝撃に対する緩衝作用を有するものの、箱の上蓋、下蓋の内面側にはフラップが介在されるのみで、特に緩衝機能を有していないために、箱の上下方向に衝撃、振動を受けた場合に、壊れやすい錠剤などの薬剤が薬剤パッケージ（アルミ包材パック内のＰＴＣシート）の中で激しく動いて損傷又は破損する恐れがある、という問題がある。
また、この種の包装用箱は、薬剤パッケージが通常自動カートナーにより箱詰めされる関係で、箱の中に薬剤パッケージを入れやすくするために、箱の容量が薬剤パッケージの大きさ（実容量）に比べて少し大きくなっており、このため、薬剤パッケージを箱詰めした後の箱内の収容空間に多少の遊びが残り、箱が振動を受けると、箱内で薬剤パッケージが箱の振動方向に動き、その影響で薬剤パッケージ内の壊れやすい錠剤が損傷又は破損する恐れがある、という問題もある。
【０００６】
本発明は、このような従来の問題を解決するものであり、この種の包装用箱において、壊れやすい錠剤などの薬剤パッケージその他の物品を外部の衝撃から保護し、物品の損傷、破損を確実に防止すること、を目的とする。
【課題を解決するための手段】
【０００７】
上記目的を達成するために、本発明は、一対のフラップ及び蓋により開閉される開口を有する形式の箱として構成され、前記箱の内部に物品を保持する緩衝用の保持部を一体的に備えて、壊れやすい錠剤などの薬剤パッケージその他の物品を外部の衝撃から保護する緩衝機能付き包装用箱において、前記緩衝用の保持部は、前記箱の内部で前記各フラップの回動支点の内側付近に前記箱の開口上に延びるフラップが設けられていて、前記箱の開口を前記各フラップ及び前記蓋により閉じたときの前記各フラップの押え込みにより、前記各フラップの内側で略ハの字形に配置可能な一対の押えフラップからなり、前記箱の内部で物品を前記各フラップ側から前記各押えフラップにより押え保持する、ことを要旨とする。
この包装用箱において、緩衝用の保持部は、箱の内部に箱の開口の内側で開口される略筒形に形成され、物品の周囲を保持可能なホルダーを併せて備え、一対の押えフラップが各フラップの回動支点の内側付近になる前記ホルダーの開口縁部に一体に形成され、前記箱の内部で、前記ホルダーにより包囲保持した物品を前記各フラップ側から前記各押えフラップにより押え保持するようにすることが好ましい。この場合、箱は断面略矩形の箱形に形成され、ホルダーは前記箱内に配置可能に断面略矩形の筒形に形成されて、前記ホルダーの一方の略平行な各側面が前記箱内の一方の略平行な各側面に対して接着され、他方の略平行な各側面が前記箱内の他方の略平行な各側面に対して緩衝空間を介して対向されることが望ましい。
この包装用箱において、一対の押えフラップは箱の開口を拡開する方向に折り曲げ可能に折れ線が付設されてもよい。
この包装用箱において、箱は緩衝用の保持部とともに、一枚のブランクシートから一体的に打ち抜かれて形成される一枚の紙基材からなることが好ましい。
【発明の効果】
【０００８】
本発明の緩衝機能付き包装用箱によれば、緩衝用の保持部として、箱の内部で各フラップの回動支点の内側付近に箱の開口上に延びる一対の押えフラップを備え、この一対の押えフラップを、箱の開口を各フラップ及び蓋により閉じたときの各フラップの押え込みにより、各フラップの内側で略ハの字形に配置して、これらの押えフラップで箱の内部の物品を各フラップ側から押え保持するようにしたので、この一対の押えフラップにより、壊れやすい錠剤などの薬剤パッケージその他の物品を外部の衝撃、特に蓋側の衝撃から保護し、物品の損傷又は破損を防止することができる。
さらに、この箱は、従来の緩衝機能のない箱と同じように自動カートナーで箱詰めが可能である。
【図面の簡単な説明】
【０００９】
【図１】本発明の一実施の形態における緩衝機能付き包装用箱の構成を示す一部破断斜視図
【図２】同包装用箱の組み立て前の紙基材を示す平面図（展開図）
【発明を実施するための形態】
【００１０】
次に、この発明を実施するための形態について図を用いて説明する。図１に緩衝機能付き包装用箱を、一部を破断して、示している。この場合、この包装用箱の正面、正面下端から延びる底内蓋、及び箱内部のホルダーの正面を破断しており、破断箇所を２点鎖線で示している。なお、この実施の形態では、特に、壊れやすい錠剤などの薬剤パッケージ（この場合、錠剤やカプセルなどの医薬品を複数個ずつ１枚のＰＴＰシートに収納し、これを複数枚ずつ一まとめにしてアルミ包材パックに封入したもの）を包装するのに使用する包装用箱を例示している。この箱の場合、４列に並べて収容するものとなっている。
【００１１】
図１に示すように、この包装用箱Ｂは、上下に一対のフラップ１５Ｌ，１５Ｒ、１６Ｌ，１６Ｒ及び蓋１８、１７Ｆ，１７Ｒにより開閉される開口１０１、１０２を有する形式の箱１として構成され、箱１の内部に物品を保持する緩衝用の保持部２を一体的に備えて、壊れやすい錠剤などの薬剤パッケージを外部の衝撃から保護するようになっている。
緩衝用の保持部２は一対の上押えフラップ２２（２２Ｌ，２２Ｒ）、一対の下押えフラップ２３（２３Ｌ，２３Ｒ）からなり、箱１の内部で上下の各フラップ１５Ｌ，１５Ｒ、１６Ｌ，１６Ｒの回動支点の内側付近に設けられ、箱１の開口１０１、１０２を各フラップ１５Ｌ，１５Ｒ、１６Ｌ，１６Ｒ及び蓋１８、１７Ｆ，１７Ｒにより閉じたときの各フラップ１５Ｌ，１５Ｒ、１６Ｌ，１６Ｒの押え込みにより、各フラップ１５Ｌ，１５Ｒ、１６Ｌ，１６Ｒの内側で略ハの字形の配置になるように構成される。
この包装用箱Ｂの場合、緩衝用の保持部２は箱１の内部に箱１の開口１０１、１０２の内側で開口される略筒形に形成され、物品の周囲を保持可能なホルダー２１を併せて備え、一対の押えフラップ２２、２３は各フラップ１５Ｌ，１５Ｒ、１６Ｌ，１６Ｒの回動支点の内側付近になるホルダー２１の開口縁部に一体に形成される。
したがって、この保持部２は、箱１の内部に箱１の開口１０１、１０２の内側で開口される略筒形に形成され、物品の周囲を保持可能なホルダー２１と、このホルダー２１の開口縁部で箱１の各フラップ１５Ｌ，１５Ｒ、１６Ｌ，１６Ｒの回動支点の内側となる位置に箱１の開口１０１、１０２上に延びるフラップ状に形成され、箱１の開口１０１、１０２を各フラップ１５Ｌ，１５Ｒ、１６Ｌ，１６Ｒ及び各蓋１８、１７Ｆ，１７Ｒにより閉じたときの各フラップ１５Ｌ，１５Ｒ、１６Ｌ，１６Ｒの押え込みにより、各フラップ１５Ｌ，１５Ｒ、１６Ｌ，１６Ｒの内側で略ハの字形に配置可能な一対の押えフラップ２２、２３とを備える。
【００１２】
この場合、箱１は上下（天面、底面）に横方向に長い開口１０１、１０２を有し、箱の横方向の寸法が縦方向の寸法よりも僅かに大きい断面略矩形の箱形、すなわち直方体形で、背面１１、左側面１２、正面１３（破断されているため、図２を参照。）、右側面１４をなす相互に連接して形成される４側面と、４側面のうち相互に対向する一方の略平行の２側面、この場合、左右の各側面１２、１４の上下両端に形成される一対の上フラップ１５Ｌ，１５Ｒ及び下フラップ１６Ｌ，１６Ｒと、これらの２側面とは別の相互に対向する他方の略平行の２側面又はその一方の側面、この場合、背面１１の下端、正面１３の下端にそれぞれ形成され、各下フラップ１６Ｌ，１６Ｒに重合される底面をなす底外蓋１７Ｆ（破断されているため、図２を参照。）、底内蓋１７Ｒ、背面１１の上端に形成される天蓋１８及びその先端縁から延びる接着片１８１とを備えて構成され、底面の開口１０２を左右の各下フラップ１６Ｌ，１６Ｒ及び正面側、背面側の底外蓋１７Ｆ、底内蓋１７Ｒで閉塞され、天面の開口１０１が左右の各上フラップ１５Ｌ，１５Ｒ及び天蓋１８で開閉可能になっている。
緩衝用の保持部２にあっては、ホルダー２１は箱１の右側面１４の側縁部に連接してこの箱１内に配置可能に断面略矩形の筒形（四角柱形）に形成され、箱１内でホルダー背面２１１、ホルダー左側面２１２、ホルダー正面２１３（破断されているため、図２を参照。）、及びホルダー右側面２１４をなす相互に連接して形成される４側面と、ホルダー右側面２１４の側縁から延びる接着片２１５を備えて構成され、一方の略平行なホルダー各側面、この場合、ホルダー正面２１３及びホルダー背面２１１が箱１の正面１３及び背面１１に対して上下方向を少し短く、左右方向を所定の長さだけ短くして全体として小さい矩形に形成され、箱１内の一方の略平行な各側面である正面１３及び背面１１に対して接着剤を介して接着され、他方の略平行なホルダー各側面、この場合、ホルダー左側面２１２及びホルダー右側面２１４が箱１の左側面１２及び右側面１４に対して上下方向を少し短く、左右方向を略同じ長さにして全体として小さい矩形に形成され、箱１内の他方の略平行な各側面である左側面１２及び右側面１４に対して所定の幅及び高さを有する緩衝空間２１６、２１７を介して対向される。また、このホルダー２１では、ホルダー左側面２１２及びホルダー右側面２１４の一部に箱１内の左側面１２及び右側面１４に向けて略直角に連続し、箱１内の左側面１２及び右側面１４に接着固定されて、当該左側面１２及び右側面１４の内側面に対してホルダー左側面２１２及びホルダー右側面２１４を突っ張り支持するための支持片２１８、２１９が設けられる。これらの支持片２１８、２１９はそれぞれ、略Ｌ字形に折り曲げ可能な２面からなり、箱１の左側面１２の内側面、右側面１４の内側面に向けて延び、ホルダー左側面２１２、ホルダー右側面２１４を突っ張り支持するための支持部２１８ａ、２１９ａ、及び箱１の左側面１２の内側面、右側面１４に接着固定するための固定部２１８ｂ、２１９ｂ（図２参照）を有する。
上下の各一対の押えフラップ２２Ｌ，２２Ｒ、２３Ｌ，２３Ｒはそれぞれ、ホルダー左側面２１２及びホルダー右側面２１４の上下に箱１の上下の各フラップ１５Ｌ，１５Ｒ及び１６Ｌ，１６Ｒと概ね同じ大きさ、形状に形成されて、各押えフラップ２２Ｌ，２２Ｒ、２３Ｌ，２３Ｒ、各フラップ１５Ｌ，１５Ｒ、１６Ｌ，１６Ｒが折り曲げられる前の状態では、上下の各押えフラップ２２Ｌ，２２Ｒ、２３Ｌ，２３Ｒは箱１の上下の開口１０１、１０２上に延び、その先端が箱１の上下の各フラップ１５Ｌ，１５Ｒ、１６Ｌ，１６Ｒの回動支点と回動端（先端）との間の中間当たりまで突出される。なお、この押えフラップ２２Ｌ，２２Ｒ、２３Ｌ，２３Ｒには、箱１の開口１０１、１０２を拡開する方向に折り曲げ可能に折れ線が付設されてもよい。この場合、例えば図２に示すように、折れ線Ｌ２３１、Ｌ２３２が押えフラップ２３Ｌ、２３Ｒの回動支点と回動端との間の中央付近に形成される。このようにして一対の押えフラップ２２Ｌ，２２Ｒ、２３Ｌ，２３Ｒは箱１の内部で上下の各フラップ１５Ｌ，１５Ｒ、１６Ｌ，１６Ｒの回動支点の内側付近に箱１の開口１０１、１０２上に延びるフラップ状に設けられ、箱１の上下の開口１０１、１０２を各フラップ１５Ｌ，１５Ｒ、１６Ｌ，１６Ｒ及び各蓋１８、１７Ｆ，１７Ｒにより閉じたときの各フラップ１５Ｌ，１５Ｒ、１６Ｌ，１６Ｒの内面で押え込まれて、各フラップ１５Ｌ，１５Ｒ、１６Ｌ，１６Ｒの内側で略ハの字形に配置されるようになっている。
【００１３】
この包装用箱Ｂは箱１が緩衝用の保持部２とともに、一枚のブランクシートから一体的に打ち抜かれて形成される一枚の紙基材Ｐからなる。
図２にこの紙基材Ｐを示している。
図２に示すように、この紙基材Ｐは、箱１を形成するための箱本体形状部Ｐ１と、緩衝用の保持部２を形成するための保持部形状部Ｐ２とを備える。
この紙基材Ｐの箱本体形状部Ｐ１は、全体が横に長い開口を有し、縦の寸法に対して横の寸法が少し長い略直方体形状に組み立て可能に、箱本体形状部Ｐ１の組み立て状態で背面、右側面、正面、左側面をなす相互に折れ線Ｌ１−Ｌ３を介して連接して形成される４面形状部Ｐ１１−Ｐ１４と、背面形状部Ｐ１１の上端に折れ線Ｌ４を介して形成され、箱本体形状部Ｐ１の組み立て状態で天蓋をなす天蓋形状部Ｐ１８、この天蓋形状部Ｐ１８の先端に折れ線Ｌ５を介して形成される接着片形状部Ｐ１８１、及び背面形状部Ｐ１１の下端に折れ線Ｌ６を介して形成され、箱本体形状部Ｐ１の組み立て状態で底内蓋をなす底内蓋形状部Ｐ１７２と、正面形状部Ｐ１３の下端に折れ線Ｌ７を介して形成され、箱本体形状部Ｐ１の組み立て状態で底外蓋をなす底外蓋形状部Ｐ１７１と、左側面形状部Ｐ１２及び右側面形状部Ｐ１４の上下両端にそれぞれ折れ線Ｌ８−Ｌ１１を介して形成され、箱本体形状部Ｐ１の組み立て状態で左右方向一方のフラップ及び他方のフラップをなすフラップ形状部Ｐ１５１，Ｐ１６１、Ｐ１５２，Ｐ１６２と、を有する。また、この箱本体形状部Ｐ１には、正面形状部Ｐ１３の上端中央に天蓋形状部Ｐ１８を切り離すための破断線Ｃ１、さらに、背面形状部Ｐ１１の下端に、この箱Ｂを廃棄するときに、箱Ｂが折り畳みやすくなるように、底内蓋形状部Ｐ１７２を切り離すための破断線Ｃ２が形成される。
保持部形状部Ｐ２は、箱本体形状部Ｐ１の右側面形状部Ｐ１４の正面形状部Ｐ１３とは反対側の側縁部に折れ線Ｌ１２を介して形成され、箱本体形状部Ｐ１の組み立て状態で背面形状部Ｐ１１の内面に固定されるホルダー背面をなすホルダー背面形状部Ｐ２１１と、このホルダー背面形状部Ｐ２１１の右側面形状部Ｐ１４とは反対側の側縁部に折れ線Ｌ１３を介して形成され、箱本体形状部Ｐ１の組み立て状態で左側面形状部Ｐ１２の内面に緩衝空間２１６を介して対向されるホルダー左側面をなすホルダー左側面形状部Ｐ２１２と、このホルダー左側面形状部Ｐ２１２にホルダー背面形状部Ｐ２１１とは反対側の側縁部に折れ線Ｌ１４を介して形成され、箱本体形状部Ｐ１の組み立て状態で正面形状部Ｐ１１の内面に固定されるホルダー正面をなすホルダー正面形状部Ｐ２１３と、このホルダー正面形状部Ｐ２１３のホルダー左側面形状部Ｐ２１２とは反対側の側縁部に折れ線Ｌ１５を介して形成され、箱本体形状部Ｐ１の組み立て状態で右側面形状部Ｐ１４の内面に対して緩衝空間２１７を介して対向されるホルダー右側面をなすホルダー右側面形状部Ｐ２１４と、このホルダー右側面形状部Ｐ２１４のホルダー正面形状部Ｐ２１３とは反対側の側縁部に折れ線Ｌ１６を介して形成され、箱本体形状部Ｐ１の組み立て状態でホルダー背面形状部Ｐ２１３の内面に接着固定される接着片をなす接着片形状部Ｐ２１５とを有し、ホルダー左側面形状部Ｐ２１２及びホルダー右側面形状部Ｐ２１４の上下両端にそれぞれ折れ線Ｌ１７−Ｌ２０を介して形成され、箱本体形状部Ｐ１の組み立て状態で左右方向一方の押えフラップをなす上下の押えフラップ形状部Ｐ２２１、Ｐ２３１及び他方の押えフラップをなす押えフラップ形状部Ｐ２２２、Ｐ２３２とを有する。また、この保持部形状Ｐ２には、ホルダー左側面形状部Ｐ２１２及びホルダー右側面形状部Ｐ２１４の略中央に支持片をなす支持片形状部Ｐ２１８、Ｐ２１９が形成される。なお、この支持片形状部Ｐ２１８、Ｐ２１９はホルダー左側面形状部Ｐ２１２及びホルダー右側面形状部Ｐ２１４の略中央に、各形状部Ｐ２１２、Ｐ２１４の一方の側縁部と平行に折れ線Ｌ２１、Ｌ２２を入れこの折れ線Ｌ２１、Ｌ２２の両端から他方の側縁部側に向けて所定の大きさのコ字形に切り欠かれて各形状部Ｐ２１２、Ｐ２１４に対して直角に折り曲げ可能な支持片本体をなす支持片形状部Ｐ２１８、Ｐ２１９が形成され、さらにこの支持片形状部Ｐ２１８、Ｐ２１９が繋ぎ部分側の半面に対して繋ぎ部分とは反対側の半面が直角に折り曲げ可能に折れ線Ｌ２３、Ｌ２４と略コ字形の切れ目Ｃ３、Ｃ４が入れられて、繋ぎ部分側の半面に支持部をなす支持部形状部Ｐ２１８ａ、Ｐ２１９ａが形成され、繋ぎ部分とは反対側の半面に固定部をなす固定部形状部Ｐ２１８ｂ、Ｐ２１９ｂが形成される。
【００１４】
このような構成からなる紙基材Ｐは、箱本体形状部Ｐ１、保持部形状部Ｐ２の各形状部が次のように折り曲げられ、所定の各接着箇所を接着されて、箱１とともに箱１の内部に緩衝用の保持部２が組み立てられる。この紙基材Ｐの組み立てについて図２を用いて、また図１を参照しつつ説明する。
図２において、まず、保持部形状部Ｐ２の接着片形状部Ｐ２１５がホルダー右側面形状部Ｐ２１４に対して折れ線Ｌ１６を介して内側に向けて直角に折り曲げられ、接着片２１５が形成される（図１参照。以下同様。）。次に、ホルダー右側面形状部Ｐ２１４がホルダー正面形状部Ｐ２１３に対して折れ線Ｌ１５を介して内側に向けて直角に折り曲げられ、ホルダー右側面２１４が形成される。続いて、ホルダー正面形状部Ｐ２１３がホルダー左側面形状部Ｐ２１２に対して折れ線Ｌ１４を介して内側に向けて直角に折り曲げられ、ホルダー正面２１３が形成される。次いで、ホルダー左側面形状部Ｐ２１２がホルダー背面形状部Ｐ２１１に対して折れ線Ｌ１３を介して内側に向けて直角に折り曲げられ、ホルダー左側面２１２が形成される。次いで、ホルダー背面形状部Ｐ２１１が箱形状部Ｐ１の右側面形状部Ｐ１４に対して折れ線Ｌ１２を介して内側に向けて直角に折り曲げられ、ホルダー背面２１１が形成される。次いで、右側面形状部Ｐ１４が正面形状部Ｐ１３に対して折れ線Ｌ３を介して内側に向けて直角に折り曲げられ、右側面１４が形成される。次いで、正面形状部Ｐ１３が左側面形状部Ｐ１２に対して折れ線Ｌ２を介して内側に向けて直角に折り曲げられ、正面１３が形成される。次いで、左側面形状部Ｐ１２が背面形状部Ｐ１１に対して折れ線Ｌ１を介して内側に向けて直角に折り曲げられ、左側面１２が形成される。そして、背面形状部Ｐ１１がホルダー背面２１１の外側面に重ねられ、右側面１４と相互の縁部を合せられて、背面１１が形成される。
このようにしてホルダー２１の接着片２１５と背面１１、ホルダー正面２１３と箱１の正面１１、ホルダー背面２１１と箱１の背面１１がそれぞれ重合され、また、ホルダー左側面２１２及びホルダー右側面２１４がそれぞれ箱１の左側面１２及び右側面１４に対向されて、ホルダー２の接着片２１５の外側面と背面１１の内側面、ホルダー正面２１３と箱１の正面１１、ホルダー背面２１１と箱１の背面１１がそれぞれ、接着剤を介して接着固定され、また、ホルダー左側面２１２及びホルダー右側面２１４から支持片形状部Ｐ２１８、Ｐ２１９が略Ｌ字形に切り起こされてそれぞれ箱１の左側面１２及び右側面１４に接着剤を介して接着固定される。これにより箱１が断面略矩形の筒形に組み立てられ、この箱１の内部にホルダー２１が断面略矩形の筒形に組み立てられて、箱１の上下の各フラップ形状部Ｐ１５１，Ｐ１６１、Ｐ１５２，Ｐ１６２、天蓋１８、底内蓋１７Ｒ及び底外蓋１７Ｆがそれぞれ、箱１の左右の各側面１２、１４、背面１１、正面１３の各面の上下端部の延長上に延ばされ、ホルダー２の上下の各押えフラップ形状部Ｐ２２、Ｐ２３がそれぞれ、ホルダー２１の左右の各側面２１２、２１４の上下端部の延長上に延ばされた状態となる。この組み立て途中の箱１は緩衝用の保持部２とともに箱１内で対角線上に対向する各２箇所の折れ線Ｌ１、Ｌ３、Ｌ１３、Ｌ１５を境に略扁平状に折り畳まれ、この状態で、薬剤パッケージ（ＰＴＰ包装の医薬品）を包装する工場などに出荷される。
そして、薬剤パッケージを包装する工場では、自動カートナーにより、この組み立て途中の箱１が次のようにして組み立てられ、組み立て後の箱１内に薬剤パッケージが収容されて、箱１が封止される。
まず、箱１は、扁平状に折り畳まれた状態から、４側面を引き起こされて、断面四角形の筒形に組み立てられる。次いで、箱１の底面の開口１０２が閉じられる。この場合、箱１の左右の各側面１２、１４下端の各フラップ形状部Ｐ１６１、Ｐ１６２が折れ線Ｌ９、Ｌ１１を介して開口１０２上に折り曲げられて左右の各フラップ１６Ｌ、１６Ｒが形成され、その上に、箱１の背面１１の底内蓋形状部Ｐ１７２が折れ線Ｌ６を介して折り曲げられて底内蓋１７Ｒが形成される。そして、その上に、箱１の正面１１の底外蓋形状部Ｐ１７１が折れ線Ｌ７を介して折り曲げられて底外蓋１７Ｆが形成され、底内蓋１７Ｒの外側面と底外蓋１７Ｆの内側面が接着剤を介して接着固定される。これにより、底面の開口１０２が閉塞される。そして、この底面の開口１０２が左右の各フラップ１６Ｌ、１６Ｒ及び各蓋１７Ｒ、１７Ｆにより閉じられたことで、箱１内の下の各押えフラップ形状部Ｐ２３１、Ｐ２３２がそれぞれ各下押えフラップ２３Ｌ、２３Ｒになって、各下押えフラップ２３Ｌ、２３Ｒは各フラップ１６Ｌ、１６Ｒの内面により押え込まれて各フラップ１６Ｌ、１６Ｒの内側で略ハの字形（この場合、略逆ハの字形）に配置され、各フラップ１６Ｌ、１６Ｒと前記各押えフラップ２３Ｌ、２３Ｒとの間に緩衝空間２３１、２３２が形成されて、各押えフラップ２３Ｌ、２３Ｒがこの箱１に収納される物品のクッションとなる。
続いて、薬剤パッケージがアルミ包材パック一端の封止部から箱１の上面の開口１０１を通じてこの箱１内のホルダー２１の中に収容され、この薬剤パッケージの収容後、この開口１０１が左右の各上フラップ１５Ｌ、１５Ｒ、天蓋１８により閉じられる。この場合、箱１の左右の各側面１２、１４上端の各フラップ形状部Ｐ１５１、Ｐ１５２が折れ線Ｌ８、Ｌ１０を介して開口１０１上に折り曲げられて左右の各上フラップ１５Ｌ、１５Ｒが形成され、その上に、箱１の背面１１上端の天蓋形状部Ｐ１８が折れ線Ｌ４を介して折り曲げられて天蓋１８が形成される。そして、天蓋１８の先端の接着片形状部Ｐ１８１が天蓋１８に対して折れ線Ｌ５を介して内側に向けて直角に折り曲げられて接着片１８１が形成され、この接着片１８１が接着剤を介して箱１の正面１３の内側面上部に接着される。これにより、天面の開口１０１が閉塞される。そして、この天面の開口１０１が左右の各上フラップ１５Ｌ、１５Ｒ及び天蓋１８により閉じられたことで、箱１内の上の各押えフラップ形状部Ｐ２２１、Ｐ２２２がそれぞれ各上押えフラップ２２Ｌ、２２Ｒになって、各上押えフラップ２２Ｌ、２２Ｒは各上フラップ１５Ｌ、１５Ｒの内面により押え込まれて各上フラップ１５Ｌ、１５Ｒの内側で略ハの字形に配置され、各上フラップ１５Ｌ、１５Ｒと各上押えフラップ２２Ｌ、２２Ｒとの間に緩衝空間２２１、２２２が形成されて、各上押えフラップ２２Ｌ、２２Ｒがこの箱１に収納される物品のクッションとなる。すなわち、箱１の内部で、薬剤パッケージは薬剤パッケージの周囲がホルダー２１により包囲され、ホルダー２１及び箱１の正面２１３、１３間、背面２１１、１１間の重合構造とホルダー２１の左右の各側面２１２、２１４と箱１の左右の各側面１２、１４との間の緩衝空間２１６、２１７の２重構造により保持され、また、この薬剤パッケージのアルミ包材パック上下の各封止端が上下の各フラップ１５Ｌ，１５Ｒ、１６Ｌ，１６Ｒ側から上下の各押えフラップ２２Ｌ，２２Ｒ、２３Ｌ，２３Ｒにより押えられ、各フラップ１５Ｌ，１５Ｒ、１６Ｌ，１６Ｒと各押えフラップ２２Ｌ，２２Ｒ、２３Ｌ，２３Ｒとの間の緩衝空間２２１，２２２、２３１，２３２を介して保持される。
【００１５】
このようにしてこの包装用箱Ｂに薬剤パッケージが包装され、箱１内部の緩衝用の保持部２により、壊れやすい錠剤などが入った薬剤パッケージでも、外部の衝撃から保護できるようになっている。すなわち、この包装用箱Ｂが箱１の周囲から衝撃、振動を受けても、この衝撃、振動をホルダー２１及び箱１の正面２１３、１３間、背面２１１、１１間の重合構造とホルダー２１の左右の各側面２１２、２１４と箱１の左右の各側面１２、１４との間の緩衝空間２１６、２１７の２重構造による緩衝作用により吸収し、また、この包装用箱Ｂが箱１の上下方向から衝撃、振動を受けても、この衝撃、振動を、各フラップ１５Ｌ，１５Ｒ、１６Ｌ，１６Ｒと各押えフラップ２２Ｌ，２２Ｒ、２３Ｌ，２３Ｒとの間の緩衝空間２２１，２２２、２３１，２３２による緩衝作用により吸収して、箱１内部の薬剤パッケージ（壊れやすい錠剤）の損傷、破損が防止される。
（落下試験データ）
本発明の緩衝箱の緩衝機能を落下試験により評価した。落下試験は、ＪＩＳ Ｚ ０２０２に準じた試験機を用い、２００ｃｍから左側面１２を鉛直下向きとし、１０回繰り返し落下させた後、目視観察にて錠剤の割れ欠けの発生につき評価した。口腔内崩壊錠（ガスター（登録商標）Ｄ錠１０ｍｇ、アステラス製薬製、２ロット）をそれぞれ、ＰＴＰ包装した１４錠シート１０枚をアルミフィルムにてピロー状に包装し、ピローのトップシール部分が各押えフラップ２２Ｌ，２２Ｒ、２３Ｌ，２３Ｒと接する方向に４列並べた包装品、各５箱を評価した。その結果、総錠数５６００錠に対し割れ欠けは発生しなかった。
【００１６】
また、この包装用箱Ｂは、薬剤パッケージが自動カートナーにより箱詰めされる関係で、箱１の容量が薬剤パッケージの実容量に比べて大きくなっており、薬剤パッケージを箱詰めした後の箱１内の収容空間には多少の遊びが残るが、箱１内で薬剤パッケージは上下の封止端が上下の各押えフラップ２２Ｌ，２２Ｒ、２３Ｌ，２３Ｒで押えられるため、箱１内での薬剤パッケージの動きが規制され、箱１に振動を受けても箱１内で薬剤パッケージが動くことがなく、箱１の振動の影響で薬剤パッケージ内の壊れやすい錠剤が損傷、破損するのを防止される。
なお、この包装用箱Ｂは、一対の押えフラップ２２Ｌ，２２Ｒ、２３Ｌ，２３Ｒに箱１の開口１０１、１０２を拡開する方向に折り曲げ可能な折れ線が付設されていると、自動カートナーの機種によって、薬剤パッケージを箱１の中に入れる際に箱１内の各押えフラップ２２Ｌ，２２Ｒ、２３Ｌ，２３Ｒを外側に広げる必要がある場合に、この折れ線により各押えフラップ２２Ｌ，２２Ｒ、２３Ｌ，２３Ｒを外側に折り曲げることで、各押えフラップ２２Ｌ，２２Ｒ、２３Ｌ，２３Ｒを簡易に広げることができ、工業的に有利である。
【００１７】
以上説明したように、この包装用箱Ｂでは、緩衝用の保持部２として、箱１の内部に箱１の開口１０１、１０２の内側で開口される略筒形に形成され、物品の周囲を保持可能なホルダー２１と、このホルダー２１の開口縁部で箱１の各フラップ１５Ｌ，１５Ｒ、１６Ｌ，１６Ｒの回動支点の内側となる位置に箱１の開口１０１、１０２上に延びるフラップ状に形成され、箱１の開口１０１、１０２を各フラップ１５Ｌ，１５Ｒ、１６Ｌ，１６Ｒ及び各蓋１８、１７Ｆ，１７Ｒにより閉じたときの各フラップ１５Ｌ，１５Ｒ、１６Ｌ，１６Ｒの押え込みにより、各フラップ１５Ｌ，１５Ｒ、１６Ｌ，１６Ｒの内側で略ハの字形に配置可能な一対の押えフラップ２２Ｌ，２２Ｒ、２３Ｌ，２３Ｒとを備え、箱１の内部で、薬剤パッケージの周囲をホルダー２１により包囲保持し、薬剤パッケージの上下の各封止端を上下の各フラップ１５Ｌ，１５Ｒ、１６Ｌ，１６Ｒ側から上下の各押えフラップ２２Ｌ，２２Ｒ、２３Ｌ，２３Ｒにより押え保持するので、壊れやすい錠剤などの薬剤パッケージを外部の衝撃から保護し、壊れやすい錠剤などの薬剤の損傷、破損を防止することができる。
また、この包装用箱Ｂにおいては、薬剤パッケージが自動カートナーにより箱詰めされる関係で、箱１の容量が薬剤パッケージの実容量に比べて大きくなっており、薬剤パッケージを箱詰めした後の箱１内の収容空間には多少の遊びが残るが、箱１内で薬剤パッケージは上下の各封止端が上下の各押えフラップ２２Ｌ，２２Ｒ、２３Ｌ，２３Ｒで押えられるので、箱１内での薬剤パッケージの動きが規制され、箱１に振動を受けても箱１内で薬剤パッケージが箱１の振動方向に動くことがなく、箱１の振動の影響で薬剤パッケージ内の壊れやすい錠剤が損傷、破損するのを防止することができる。
【００１８】
なお、この実施の形態の緩衝機能付き包装用箱では、箱の中に収容する薬剤パッケージを外部の衝撃から保護するために、箱内にホルダーと押えフラップの両方を備えるものとしたが、箱内の物品の収納空間に遊びが生じるために物品の動きを規制するだけ、又は箱の蓋側からの衝撃に対して緩衝作用を持たせるためだけであれば、箱内にホルダーを備えず、押えフラップのみを設けてもよい。箱に押えフラップのみを設ける場合、箱を（緩衝空間を有しない）２重構造に形成して内側の側面に押えフラップを一体に形成すればよく、また、箱の側面の内面側に別体の各押えフラップを接着剤などを介して接着して形成してもよい。このようしても、押えフラップについて、上記実施の形態と同様の作用効果を得ることができる。
また、この実施の形態では、緩衝機能付き包装用箱について、壊れやすい錠剤などの薬剤パッケージを包装するものとして例示したが、これに限定されることなく、広く各種の物品の包装に適用できることは勿論である。
【符号の説明】
【００１９】
Ｂ  緩衝機能付き包装用箱
１  箱
１０１  開口
１０２  開口
１１  背面
１２  左側面
１３  正面
１４  右側面
１５Ｌ、１５Ｒ  上フラップ
１６Ｌ、１６Ｒ  下フラップ
１７Ｆ  底外蓋
１７Ｒ  底内蓋
１８  天蓋
１８１  接着片
２  緩衝用の保持部
２１  ホルダー
２１１  ホルダー背面
２１２  ホルダー左側面
２１３  ホルダー正面
２１４  ホルダー右側面
２１５  接着片
２１６、２１７  緩衝空間
２１８、２１９  支持片
２１８ａ、２１９ａ  支持部
２１８ｂ、２１９ｂ  固定部
２２（２２Ｌ，２２Ｒ）  上押えフラップ
２２１、２２２  緩衝空間
２３（２３Ｌ、２３Ｒ）  下押えフラップ
２３１、２３２  緩衝空間
Ｌ２３１、Ｌ２３２  折れ線
【図１】
2014118198.tif 000003
【図２】
2014118198.tif 000004